(57)【特許請求の範囲】
【請求項１】
カラオケ演奏装置を単独で利用するための個室において、利用者が外界音を遮断した状態でカラオケ演奏音と自らの歌唱音声を聴取している場合に、出入口に設けた扉の開閉状態を告知することが可能な扉開閉警告システムであって、扉開閉検知手段と、扉開閉状態告知手段と、リモコン告知表示手段と、を備え、
前記扉開閉検知手段は、カラオケ演奏装置が設置された個室の出入口に設けた扉の開閉状態を検知し、
前記扉開閉状態告知手段は、カラオケ楽曲の演奏中に前記扉の開状態が検知された場合に、表示装置の表示画面に前記扉が開状態である旨の告知表示を行うと共に、カラオケリモコン装置に扉開信号を送信し、
前記リモコン告知表示手段は、前記カラオケリモコン装置が操作中に前記扉開信号を受信した場合に、前記カラオケリモコン装置の表示部に前記扉が開状態である旨の告知表示を行う、
ことを特徴とする単独利用カラオケ演奏装置における扉開閉警告システム。
【発明の詳細な説明】
【技術分野】
【０００１】
本発明は、カラオケ演奏装置を単独で利用する際の扉開閉警告システムに関するものであり、特に、個室において単独でカラオケシステムを利用する際に、安心してカラオケを楽しむことができるようにしたシステムに関するものである。
【背景技術】
【０００２】
近年、多人数のグループで歌唱を楽しむのではなく、一人で気ままに歌唱を楽しむというカラオケ演奏装置の使用方法が注目を浴びている。このようなカラオケ演奏装置の単独利用は、他人の目を気にする必要がないため、ストレス発散や、歌唱練習を行う際に最適な利用方法であり、カラオケ演奏装置の単独利用を積極的に受け入れているカラオケ店もある。
【０００３】
カラオケ演奏装置の単独利用を勧めているカラオケ店では、従来のように、グループで利用する個室と比較して床面積が狭い個人用の個室を用意すると共に、ヘッドホンやイヤホンでカラオケ演奏を聴取しながら歌唱を行わせることが多い。このような営業形態では、カラオケ装置の単独利用を前提として多数の個室を設置した場合に、各個室の防音性能を重視したのでは設置費用が嵩むため、高い防音性能を持たせることなく、ヘッドホンやイヤホンを利用してカラオケ演奏を聴取して貰うことにより、他の個室におけるカラオケ演奏音や歌唱音声が邪魔にならないようにしている。
【０００４】
従来、カラオケ演奏装置を単独利用するための技術が開示されている（例えば、特許文献１参照）。特許文献１に記載された技術は、カラオケ店内に、カプセル状の小部屋を複数個設置することにより、各小部屋をカラオケボックスとしたものである。そして、各小部屋には、開閉ドアを形成すると共に、各小部屋内に、カラオケ演奏に必要な音響機器、ヘッドホンを設置している。
【先行技術文献】
【特許文献】
【０００５】
【特許文献１】特開２００４−１９８５０１号公報
【発明の概要】
【発明が解決しようとする課題】
【０００６】
ところで、単独利用を前提とした個室は、通路に面して出入口を設け、個室の奥側にカラオケ本体や表示装置を設置し、出入口にはプライバシーを確保するための扉を設置するのが一般的である。このような個室でカラオケを楽しむためには、利用者は扉を背にして、個室の奥側に設置された表示装置に対峙し、ヘッドホンやイヤホンを着用してカラオケを楽しむことになる。また、カラオケ演奏中であっても、単位時間あたりの歌唱曲数を増やすために、歌唱を行わない間（例えば、前奏、間奏、後奏の間）に、カラオケリモコン装置を用いた選曲予約操作を行う場合がある。
【０００７】
しかしながら、ヘッドホンやイヤホンを着用してカラオケ演奏音を聴取している場合には、周囲の音声が耳に入らず、さらに、出入口を背にしているため、扉の開閉に気づかないことが多い。また、カラオケ利用者が背面の出入口を終始気にしていたのでは、カラオケを楽しむことができない。カラオケ店では、種々の防犯対策を行っているが、カラオケ利用者が周囲の音声に気付かない状態においても、扉の開閉を認識できるようにして、さらに防犯対策を向上させることが好ましい。
【０００８】
本発明は、上述した事情に鑑み提案されたもので、カラオケ演奏装置を単独利用する個室において、ヘッドホン等を着用してカラオケ演奏音を聴取している場合に、出入口に設けた扉が開状態になった旨を告知することにより、安心してカラオケを楽しむことができる扉開閉警告システムを提供することを目的とする。
【課題を解決するための手段】
【０００９】
本発明は、上述した目的を達成するため、以下の特徴を有している。すなわち、本発明の単独利用カラオケ演奏装置における扉開閉警告システムは、カラオケ演奏装置を単独で利用するための個室において、利用者が外界音を遮断した状態でカラオケ演奏音と自らの歌唱音声を聴取している場合に、出入口に設けた扉の開閉状態を告知することが可能な扉開閉警告システムであって、扉開閉検知手段と、扉開閉状態告知手段と、リモコン告知表示手段とを備えたことを特徴とするものである。
【００１０】
扉開閉検知手段は、カラオケ演奏装置が設置された個室の出入口に設けた扉の開閉状態を検知するための手段である。扉開閉状態告知手段は、カラオケ楽曲の演奏中に扉の開状態が検知された場合に、表示装置の表示画面に扉が開状態である旨の告知表示を行うと共に、カラオケリモコン装置に扉開信号を送信するための手段である。リモコン告知表示手段は、カラオケリモコン装置が操作中に扉開信号を受信した場合に、カラオケリモコン装置の表示部に扉が開状態である旨の告知表示を行うための手段である。
【００１１】
このような構成からなる単独利用カラオケ演奏装置における扉開閉警告システムは、カラオケ演奏装置が設置された個室の出入口に、個室を閉鎖するための扉が設けられていることを前提としており、この個室を単独（一人）で利用する場合に、利用者に対して扉の開閉状態を告知することができるようになっている。扉開閉状態告知手段による扉の開閉状態の告知は、カラオケ楽曲の演奏中や、カラオケリモコン装置の操作中のように、利用者が外界音に気付きにくい場合に行われる。
【００１２】
すなわち、カラオケ楽曲の演奏中に扉の開状態が検知された場合には、扉開閉状態告知手段の機能により、表示装置の表示画面に扉が開状態である旨の告知表示が行われる。また、扉の開状態が検知されると、扉開閉状態告知手段の機能により、カラオケリモコン装置に扉開信号を送信する。そして、カラオケリモコン装置を操作中に、リモコン告知表示手段が扉開信号を受信すると、カラオケリモコン装置の表示部（例えば、入出力表示部）に扉が開状態である旨の告知表示を行う。
【発明の効果】
【００１３】
本発明の単独利用カラオケ演奏装置における扉開閉警告システムによれば、カラオケ演奏装置の利用者が、個室内で出入口を背にして着座すると共に、ヘッドホンやイヤホンを装着して外界音を聴取しづらい状態で、出入口に設けた扉が開くと、当該利用者に対して、扉が開状態になった旨が告知される。
【００１４】
すなわち、カラオケ楽曲の演奏中に扉の開状態が検知されると、表示装置の表示画面に扉が開状態である旨の表示を行うと共に、カラオケリモコン装置が操作中に扉の開状態が検知されると、当該カラオケリモコン装置の表示部に扉が開状態である旨の告知表示を行う。
【００１５】
したがって、利用者は、ヘッドホンやイヤホンを装着して外界音を聴取しづらい状態で、さらに歌唱や選曲操作に集中している場合であっても、扉が開状態となったことを確実に認識することができるので、防犯対策を向上することが可能となる。また、利用者は扉の開閉に気を遣うことなく、安心してカラオケを楽しむことが可能となる。
【図面の簡単な説明】
【００１６】
【図１】本発明の実施形態にかかる単独利用カラオケ演奏装置における扉開閉警告システムを適用したカラオケ演奏装置の構成を示すブロック図。
【図２】表示装置における告知表示を示す模式図。
【図３】カラオケリモコン装置における告知表示を示す模式図。
【図４】カラオケ演奏装置を設置した個室の模式図。
【発明を実施するための形態】
【００１７】
以下、図面を参照して、本発明の単独利用カラオケ演奏装置における扉開閉警告システム（以下、扉開閉警告システムと略記する）の実施形態について説明する。図１〜図４は本発明の実施形態に係る扉開閉警告システムを示すもので、図１は扉開閉警告システムを適用したカラオケ演奏装置の構成を示すブロック図、図２は表示装置における告知表示を示す模式図、図３はカラオケリモコン装置における告知表示を示す模式図、図４はカラオケ演奏装置を設置した個室の模式図である。
【００１８】
＜システムの概要＞
本発明の実施形態に係る扉開閉警告システムは、例えば、図４に示すように、個室５１に設置されたカラオケ演奏装置（カラオケ本体２１、表示装置２５等）を単独（個人）で利用する際に有用なシステムである。この扉開閉警告システムは、利用者がヘッドホン２３やイヤホンを装着して外界の状況を把握しがたい状態において、個室５１の出入口に背を向けて表示装置２５に対峙してカラオケ演奏に合わせて歌唱を行っている場合、あるいはカラオケリモコン装置２２を用いて選曲予約操作を行っている場合であっても、個室５１の出入口に設けた扉５２が開状態となったことを即座に認識できるようにしたものである。
【００１９】
この扉開閉警告システム１０は、図１に示すように、カラオケ演奏装置２０に組み込まれて使用されるもので、扉開閉検知手段４１、扉開閉状態告知手段３９、リモコン告知表示手段２２ｃを主要な構成要素とする。本実施形態では、扉開閉検知手段４１は、扉５２と扉枠との間に設けられ、扉開閉状態告知手段３９はカラオケ本体２１に設けられ、リモコン告知表示手段２２ｃはカラオケリモコン装置２２に設けられている。
【００２０】
＜カラオケ演奏装置＞
本発明の実施形態に係る扉開閉警告システム１０を適用するカラオケ演奏装置２０は、図１に示すように、カラオケ本体２１、カラオケリモコン装置２２、ヘッドホン２３、マイクロホン２４、表示装置２５、ミキシングアンプ２６を備えている。また、後に詳述するが、カラオケ本体２１の扉開閉状態告知手段３９には、扉開閉検知手段４１からの検知信号が入力される。
【００２１】
＜カラオケリモコン装置＞
カラオケリモコン装置２２は、ユーザインタフェース機能を備えており、カラオケ本体２１の送受信手段３５との間で有線方式又は無線方式によりデータの送受信を行うようになっている。このカラオケリモコン装置２２は、楽曲検索手段２２ａとして機能するプログラム、楽曲索引データベース２２ｂ、リモコン告知表示手段２２ｃ、入出力表示部２２ｄ、データの送受信を行うための電子回路及びプログラムを備えている。このカラオケリモコン装置２２に付帯するスイッチ類や、入出力表示部２２ｄに表示される各種のアイコン等を操作することにより、選曲操作等が行われる。
【００２２】
＜楽曲検索手段／楽曲索引データベース＞
楽曲検索手段２２ａは、利用者の指示に基づき、楽曲索引データベース２２ｂを参照して楽曲を検索するためのプログラムからなる。楽曲索引データベース２２ｂは、カラオケ演奏装置２０で演奏に供されるカラオケ楽曲について、その属性情報を記述したデータベースであり、例えば、楽曲番号・曲名・歌手名・歌い出し部分の歌詞・流行時期・音楽ジャンル区分・デュエット曲など、種々の属性情報がこれに含まれている。楽曲検索手段２２ａにより楽曲検索を行うと、例えば、カラオケリモコン装置２２の入出力表示部２２ｄに、検索結果が一覧表示される。
【００２３】
＜リモコン告知表示手段＞
リモコン告知表示手段２２ｃは、カラオケリモコン装置２２が操作中に、扉開閉状態告知手段３９から扉開信号を受信すると、入出力表示部２２ｄに扉が開状態である旨の告知表示を行うためのプログラムからなる。なお、上述したように、カラオケリモコン装置２２は、カラオケ本体２１の送受信手段３５を介して扉開信号を受信する。入出力表示部２２ｄにおける告知表示では、例えば、図３に示すように、選曲予約画面が表示されている際に、この選曲予約画面に重ねて、「ドアが開きました」という文言を表示する。
【００２４】
＜入出力表示部＞
入出力表示部２２ｄは、例えば、タッチセンサを備えた液晶表示装置からなり、表示画面に種々のアイコン表示等が行われ、アイコン表示等をタッチペンによりタッチすることにより、楽曲の検索、選曲予約、音程キーの変更等、種々の操作を行うことができる。
【００２５】
＜マイクロホン＞
マイクロホン２４は、歌唱音声の入力を行うための装置である。マイクロホン２４から入力された歌唱音声信号は、ミキシングアンプ２６により、音楽再生制御手段３７から送出される演奏音声信号とミキシングされると共に増幅され、ヘッドホン２３へ出力される。なお、マイクロホン２４からの音声入力信号を、Ａ／Ｄコンバータによりデジタル変換して、歌唱採点手段における採点等に使用してもよい。
【００２６】
＜表示装置＞
表示装置２５は、カラオケ楽曲に関連した背景映像や歌詞テロップ等を表示するための装置で、例えば、液晶ディスプレイ等により構成される。また、表示装置２５の表示画面に、個室の出入口に設けた扉が開状態となった旨の警告表示が行われる。
【００２７】
＜カラオケ本体＞
カラオケ本体２１は、図１に示すように、中央制御手段３１、ＲＯＭ３２、ＲＡＭ３３、ＨＤＤ３４、送受信手段３５、予約管理手段３６、音楽再生制御手段３７、映像再生制御手段３８、扉開閉状態告知手段３９を備えている。
【００２８】
＜中央制御手段＞
中央制御手段３１は、カラオケ本体２１を総合的に制御するための手段であり、例えばＣＰＵ及びその周辺機器により構成されており、ＣＰＵ等がＲＯＭ３２等に記憶されたプログラムに従って動作することにより、制御機能を発揮することができるようになっている。
【００２９】
＜ＲＯＭ／ＲＡＭ＞
ＲＯＭ３２は、カラオケ本体２１を構成する各機器を制御するためのプログラムデータや数値データを記憶するための機器で、例えば半導体メモリ等で構成される。また、ＲＡＭ３３は、プログラムや各種データを一時的に記憶する一時記憶領域として機能するもので、例えば半導体メモリ等で構成される。なお、物理的な半導体メモリによりＲＡＭ３３を構成するのではなく、ハードディスク記憶装置等を用いて仮想的なＲＡＭ３３を構成してもよい。本実施形態では、ＲＡＭ３３に予約待ち行列３３ａが記憶されるようになっている。この予約待ち行列３３ａは、選曲予約されたカラオケ楽曲について、演奏順に楽曲ＩＤを並べて構成されたデータテーブルであり、選曲者の利用者ＩＤ等、他の識別データが紐付けられている場合もある。
【００３０】
＜ＨＤＤ＞
ＨＤＤ３４は、大容量記憶装置として機能するもので、楽曲データベース３４ａ、映像データベース３４ｂが格納されている。なお、ＨＤＤ３４に替えて、あるいはＨＤＤ３４と共に、データを書き替え可能なＤＶＤ等の大容量記憶装置を用いてもよい。
【００３１】
＜楽曲データベース／映像データベース＞
楽曲データベース３４ａは、複数のカラオケ楽曲について、演奏データ及び歌詞描出データが同期されて構成される楽曲データについて、楽曲ＩＤと対応付けてそれぞれ構成されたデータベースである。歌詞描出データは、演奏に同期した歌詞文字の表示タイミングデータ及び色変わりデータを含んでいる。映像データベース３４ｂは、演奏されるカラオケ楽曲に対応した背景映像を、当該カラオケ楽曲の楽曲ＩＤに対応させた映像ファイルとして所定数格納したデータベースである。
【００３２】
＜送受信手段＞
送受信手段３５は、カラオケ本体２１とカラオケリモコン装置２２との間で、データの送受信を行うための電子回路及びプログラムからなる。本実施形態では、赤外線通信により、カラオケ本体２１とカラオケリモコン装置２２との間でデータの送受信が行われる。扉開閉状態告知手段３９からカラオケリモコン装置２２のリモコン告知表示手段２２ｃに対する扉開信号の送信は、この送受信手段３５を介して行われる。
【００３３】
＜予約管理手段＞
予約管理手段３６は、利用者に楽曲検索手段２２ａの機能を用いて検索され、利用者の選択指示に基づいて選曲予約された楽曲ＩＤを演奏順に並べて予約待ち行列３３ａを生成し、この予約待ち行列３３ａをＲＡＭ３３に格納して管理するためのプログラムからなる。
【００３４】
＜音楽再生制御手段＞
音楽再生制御手段３７は、楽曲ＩＤに基づいて楽曲データベース３４ａから抽出された演奏データを、ミキシングアンプ２６に出力するための電子回路である。なお、演奏データがＭＩＤＩ規格の演奏制御データである場合には、この演奏制御データに基づいて、音源データをデジタル再生すると共にアナログ変換してミキシングアンプ２６に出力する。上述したように、ミキシングアンプ２６は、マイクロホン２４から入力された歌唱者の歌唱音声信号と、音楽再生制御手段３７から送出される演奏音声信号とをミキシングすると共に、アンプ機能により増幅してヘッドホン２３より出力させるための装置である。
【００３５】
＜映像再生制御手段＞
映像再生制御手段３８は、カラオケ楽曲の演奏中に、映像データベース３４ｂから抽出した背景映像データと、演奏データに含まれる歌詞描出データに基づく歌詞文字とを、当該カラオケ楽曲の演奏データに同期させて表示装置２５に出力するためのプログラムからなる。
【００３６】
＜扉開閉状態告知手段＞
扉開閉状態告知手段３９は、カラオケ楽曲の演奏中に、扉開閉検知手段４１により扉の開状態が検知された場合に、表示装置２５の表示画面に扉が開状態である旨の告知表示を行うと共に、カラオケリモコン装置２２に扉開信号を送信するためのプログラムからなる。具体的には、扉開閉検知手段４１により扉の開状態が検知されると、図２に示すように、表示装置２５の表示画面に「ドアが開きました」という文言を表示する。
【００３７】
また、扉開閉検知手段４１により扉の開状態が検知されると、カラオケリモコン装置２２に扉開信号を送信するが、扉開信号を受信したカラオケリモコン装置２２が操作中の場合には、上述したように、入出力表示部２２ｄに「ドアが開きました」という文言を表示する。
【００３８】
なお、扉が開状態となった旨の告知表示はどのようなものであってもよく、表示装置２５の表示画面や入出力表示部２２ｄの画面をフラッシュさせたり、歌詞テロップや、楽曲の検索結果を通常とは異なる色（例えば、赤色）で表示したりしてもよい。
【００３９】
＜扉開閉検知手段＞
扉開閉検知手段４１は、カラオケ演奏装置２０が設置された個室５１の出入口に設けた扉５２の開閉状態を検知するための装置であり、例えば、図４に示すように、扉５２と扉枠との間に設けた近接スイッチ、プッシュスイッチ、フォトカプラ等のスイッチにより構成される。この扉開閉検知手段４１を構成するスイッチ類は、扉が閉状態の場合はオンとなり、扉が開状態の場合はオフとなることにより、扉の開閉状態を検知する。また、扉が閉状態の場合はオフとなり、扉が開状態の場合はオンとなるスイッチによっても、扉の開閉状態を検知することができる。
【００４０】
＜他の実施形態＞
本発明の扉開閉警告システム１０及びその周辺装置を構成する機器や手段は上述したものに限定されず、その利用目的に応じて、必要な機器や手段のみの構成としたり、適宜他の機器や手段を付加したりすることができる。また、各手段をそれぞれ別個のものとして構成するのではなく、複数の機能を統合した手段として構成してもよい。さらに、カラオケ演奏装置２０を単体で動作させるのではなく、ホスト装置にネットワーク接続したカラオケ演奏端末として動作させてもよい。
【符号の説明】
【００４１】
１０  扉開閉警告システム
２０  カラオケ演奏装置
２１  カラオケ本体
２２  カラオケリモコン装置
２２ａ  楽曲検索手段
２２ｂ  楽曲索引データベース
２２ｃ  リモコン告知表示手段
２２ｄ  入出力表示部
２３  ヘッドホン
２４  マイクロホン
２５  表示装置
２６  ミキシングアンプ
３１  中央制御手段
３２  ＲＯＭ
３３  ＲＡＭ
３３ａ  予約待ち行列
３４  ＨＤＤ
３４ａ  楽曲データベース
３４ｂ  映像データベース
３５  送受信手段
３６  予約管理手段
３７  音楽再生制御手段
３８  映像再生制御手段
３９  扉開閉状態告知手段
４１  扉開閉検知手段
５１  個室
５２  扉
【図１】
0005658698.tif 000002
【図２】
0005658698.tif 000003
【図３】
0005658698.tif 000004
【図４】
0005658698.tif 000005